(57)【特許請求の範囲】
【請求項１】
一方の門柱に開閉可能に支持された扉体が備えるラッチを、他方の門柱が備えるラッチ受に係止させて、上記扉体を閉じた状態に保つ門扉であって、上記他方の門柱の扉体側の端面が、その幅方向内側縁部近傍から外側縁部にかけて、上記扉体の開閉に伴う上記ラッチの移動経路から退避するように上記他方の門柱の扉体側の端面と対向する扉体端面から遠ざかる方向に没入し、これにより上記他方の門柱の扉体側の端面の幅方向内側縁部が没入面部より扉体側に突出した状態に形成されていると共に、ラッチが挿入可能に形成された凹部を備えたラッチ受が上記他方の門柱の内側の一側面に上記内側縁部に隣接して取り付けられていることを特徴とする門扉。
【請求項２】
一方の門柱に開閉可能に支持された扉体が備えるラッチを、他方の門柱が備えるラッチ受に係止させて、上記扉体を閉じた状態に保つ門扉であって、上記他方の門柱の扉体側の端面が、その幅方向内側縁部近傍から外側縁部にかけて、上記扉体の開閉に伴う上記ラッチの移動経路から退避するように上記他方の門柱の扉体側の端面と対向する扉体端面から遠ざかる方向に没入し、これにより上記他方の門柱の扉体側の端面の幅方向内側縁部が没入面部より扉体側に突出した状態に形成されていると共に、ラッチが挿入可能に形成された凹部を備えたラッチ受が上記没入面部の上記内側縁部にこの内側縁部に隣接して取り付けられていることを特徴とする門扉。
【請求項３】
上記扉体に、扉体が閉じた状態で上記他方の門柱に当接する戸当りが扉体の開閉方向に取付け位置変更可能に取り付けられた請求項１又は２記載の門扉。
【請求項４】
上記戸当りが、戸当り本体と、上記扉体に固定され、他方の門柱の幅方向に沿って形成された長孔を有する取付板とを具備し、上記戸当り本体を上記取付板とその長孔の所用位置でネジ止めにすることにより、戸当り本体が扉体の開閉方向に取付け位置変更可能に扉体に固定されるよう構成した請求項３記載の門扉。
【発明の詳細な説明】
【０００１】
【発明の属する技術分野】
本発明は、扉体の開閉に伴い生じる音を低減できる門扉に関し、例えば、ラッチ錠を用いた扉体の開閉の際にラッチと門柱との接触に伴い生じる音を低減できる門扉に関する。また、本発明は、閉じた状態の扉体の正確な位置決めを容易に行うことができる門扉に関する。
【０００２】
【従来の技術及び発明が解決しようとする課題】
最近、門扉においても、ドアと同様にラッチ式の錠前が使用されるようになっている。従来の門扉としては、図８に示すような片開き式の門扉１１を例示することができる。この門扉１１は、外開き形のものであり、図示しない一方の門柱に支持されて開閉する扉体１４が備えるラッチ１４３を、他方の門柱１３が備えるラッチ受１３２の凹部１３２ａに挿入させると共に、扉体１４が備える図示しない戸当りを門柱１３に当接させてラッチ１４３と共に扉体１４を所定の閉じた位置に保つものである。
【０００３】
ここで、この門扉１１は、通常ラッチ１４３が扉体１４から突出した状態に保たれるため、扉体１４が閉じる際に、図８に実線で示すように、ラッチ１４３が門柱１３の扉体１４側の端面と接触しながら扉体１４と共に門柱１３の扉体１４側の端面における外側端縁からラッチ受１３２を覆うストライク１３３の開口部１３３ａにかけての長い距離を矢印ＹＤ方向に移動した後、図８に二点鎖線で示すように、ラッチ受１３２の凹部１３２ａに挿入される。
このため、扉体１４を閉じる際に、ラッチ１４３と門柱１３との接触に伴う音が長く生じ、特にマンション等の集合住宅の場合、この音がマンションの通路等で共鳴するため、大きな騒音が生じるといった問題があった。
【０００４】
また、門扉には、例えば、図９（Ａ），（Ｂ）に示すような内開き形の門扉２１が知られている。この門扉２１を構成する扉体２４が備える戸当り２４５は、本来図９（Ａ）に示すように、ラッチ２４３がストライク２３３の開口部２３２ａからラッチ受２３２の凹部２３２ａに挿入して、扉体２４が閉じた状態で門柱２３に当接し、ラッチ２４３と共に扉体２４を所定位置に保持するものである。しかし、門扉２１の取り付けの際に、扉体２４と門柱２３とが所定の位置関係からずれて、戸当り２４５が門柱２３に対して所望の位置で当接しない場合があり、このような場合には、ラッチ２４３とストライク２３３の開口部２３３ａとの間に多少の遊びが設けられているため、例えば、図９（Ｂ）に示すように、ラッチ２４３とストライク２３３の開口部２３３ａの内側側面との間にすき間が生じ、扉体２４の外側の一面に対してわずかな荷重が加えられても扉体２４が内側に移動してラッチ２４３とストライク２３３の開口部２３３ａの内側側面とが当接して騒音が生じるという問題があった。また、場合によっては、ラッチ２４３がストライク２３３の開口部２３３ａに挿入しない或いは挿入し難いといった問題が生じることもあった。
【０００５】
ここで、特開平１１−２４７５６９号公報には、扉体を開閉可能に支持する門柱を壁に取り付けるための壁付け柱を壁に取り付けるためのネジ穴を、扉の開閉方向に伸びた長穴として、扉体の開閉方向への位置ズレを調節可能な門扉の取付構造が開示されている。しかし、この取付構造では、位置ズレを調節する際に扉体や門柱を壁付け柱から取り外して壁付け柱の位置を変更した後、再度門柱や扉体を壁付け柱に取り付ける必要があり、位置ズレの調節作業が困難であるという問題点があった。
【０００６】
本発明は、上記事情に鑑みなされたもので、扉体の開閉に伴い生じる音を低減できる門扉を提供することを目的とする。
【０００７】
【課題を解決するための手段】
本発明は、上記目的を達成するため、一方の門柱に開閉可能に支持された扉体が備えるラッチを、他方の門柱が備えるラッチ受に係止させて、上記扉体を閉じた状態に保つ門扉であって、上記他方の門柱の扉体側の端面が、その幅方向内側縁部近傍から外側縁部にかけて、上記扉体の開閉に伴う上記ラッチの移動経路から退避するように上記他方の門柱の扉体側の端面と対向する扉体端面から遠ざかる方向に没入し、これにより上記他方の門柱の扉体側の端面の幅方向内側縁部が没入面部より扉体側に突出した状態に形成されていると共に、ラッチが挿入可能に形成された凹部を備えたラッチ受が上記他方の門柱の内側の一側面に上記内側縁部に隣接して取り付けられていることを特徴とする門扉を提供する。
また、本発明は、一方の門柱に開閉可能に支持された扉体が備えるラッチを、他方の門柱が備えるラッチ受に係止させて、上記扉体を閉じた状態に保つ門扉であって、上記他方の門柱の扉体側の端面が、その幅方向内側縁部近傍から外側縁部にかけて、上記扉体の開閉に伴う上記ラッチの移動経路から退避するように上記他方の門柱の扉体側の端面と対向する扉体端面から遠ざかる方向に没入し、これにより上記他方の門柱の扉体側の端面の幅方向内側縁部が没入面部より扉体側に突出した状態に形成されていると共に、ラッチが挿入可能に形成された凹部を備えたラッチ受が上記没入面部の上記内側縁部にこの内側縁部に隣接して取り付けられていることを特徴とする門扉を提供する。
【０００８】
この門扉によれば、門柱における扉体側の端面が、その幅方向内側縁部近傍から外側縁部にかけて、上記扉体の開閉に伴う上記ラッチの移動経路から退避するように上記他方の門柱の扉体側の端面と対向する扉体端面から遠ざかる方向に没入して形成されているため、扉体を閉じる際にラッチと門柱とが接触して音が生じる距離乃至時間を、ラッチがラッチ受近傍からラッチ受を覆うストライクの開口部までを移動する短かい距離乃至時間に抑えることができ、扉体を閉じる際の騒音を低減することができる。
【０００９】
更に、本発明の別の好適な態様として、上記扉体に、扉体が閉じた状態で上記他方の門柱に当接する戸当りが扉体の開閉方向に取付け位置変更可能に取り付けられた門扉、特に、上記戸当りが、戸当り本体と、上記扉体に固定され、他方の門柱の幅方向に沿って形成された長孔を有する取付板とを具備し、上記戸当り本体を上記取付板とその長孔の所用位置でネジ止めにすることにより、戸当り本体が扉体の開閉方向に取付け位置変更可能に扉体に固定されるよう構成した門扉を提供する。
【００１０】
門扉の取り付けの際には、扉体と門柱とが所定の位置関係からずれて、戸当りが所望の位置で門柱に当接しない場合がある。この場合、ラッチとラッチ受を覆うストライクの開口部との間に多少の遊びが設けられているため、扉体の外側又は内側の一面に対してわずかな荷重が加えられても扉体が移動してラッチとストライクの開口部側面とが当接して音が生じてしまう。或いは、ラッチがスムーズにストライクの開口部に挿入されないことも生じる。
しかし、この門扉は、扉体に対する戸当りの取付位置が扉体の開閉方向に変更可能に（他方の門柱の幅方向に沿って移動可能に）構成されているため、このような場合には、ラッチとストライクの開口部側面との間に隙間が生じないような状態（或いはラッチがストライクの開口部にスムーズに挿入される状態）に戸当りの取付位置を変更することにより、扉体が閉じた状態で戸当りが門柱に当接するようになる。従って、扉体に対する戸当りの取付位置を変更するという簡単な作業で、ラッチとストライクの開口部側面との間に生じた隙間をなくすことができ、ラッチとストライクの開口部側面との衝突等に伴う騒音を防止できる。
【００１１】
上記門扉は、上記戸当りが、上記戸当りに形成された孔と、上記扉体に設けられた上記扉体の開閉方向（他方の門柱の幅方向）に伸びる長孔とをネジで締結することにより、上記扉体に取付け位置変更可能に取り付けられていることが望ましい。
【００１２】
この構成によれば、戸当りに形成された孔と扉体の開閉方向に伸びる長孔とを締結するネジを緩めて、戸当りが所望の位置に配置されるように、戸当りに形成された孔を長孔に対応する位置に位置させた後、再度ネジを締結するという簡単な作業で、扉体に対する戸当りの取付位置を変更できる。
【００１３】
【発明実施の形態及び実施例】
以下、図１，２を参照して、本発明の一実施例を説明する。
図１は、第１の発明の一実施例にかかる門扉１の断面を示すものであり、図中上方が内側で下方が外側である。この門扉１は、例えば、マンションのポーチ部に取り付けられる外開き形のものであり、ポーチ部の壁ｋに取り付けられた一対の門柱２，３と、一方の門柱２に開閉可能に支持された扉体４とを具備し、扉体４が備えるラッチ４３を、他方の門柱３が備えるラッチ受３２の凹部３２ａに挿入させて扉体４を閉じた状態に保つようになっている。
【００１４】
他方の門柱３は、断面略コの字状に形成され、その開口部を壁ｋ側に向けた状態で、別の断面略コの字形の取付部材ｔを介して壁ｋに取り付けられている。また、門柱３は、扉体４側の一端面３ａが内側の縁部近傍から外側の一端縁部にかけて壁ｋ側に後退没入して、扉体４の開閉に伴うラッチ４３の移動経路上から退避して形成され、これにより、この一端面３ａの内側の縁部は、上記没入面部３ａ−１より扉体４に突出した状態に形成されており、この突出部３ａ−２にラッチガード３ｃが取り付けられている。更に、門柱３の内側の一側面３ｂに形成されたラッチ受挿着溝３１にラッチ受３２が取り付けられている。ラッチ受３２は、ラッチ４３が挿入可能に形成された凹部３２ａを備えると共に、凹部３２ａの開口面は該開口よりも小さな開口部３３ａを有するストライク３３で覆われている。
【００１５】
なお、一方門柱２は、門柱３とほぼ同様の構成を有するが、内側の一側面に扉体４を開閉可能に支持するための扉体支持部２１を備える。
【００１６】
扉体４は、他方の門柱３側の内外側部に設けられたノブ部４１と、一方の門柱２側の端面に取り付けられ、門柱２の扉体支持部２１とで扉体４を開閉可能に支持する支持部４２と、他方の門柱３の上記突出部３ａ−２の外側面と当接してラッチ４３と共に扉体４を所定の閉じた位置に保つための戸当り４５とを備える。
【００１７】
ノブ部４１は、扉体４の開閉及びラッチ４３をラッチ受３２の凹部３２ａから後退させる際に使用者が握るためのノブ４１ａと、扉体４を閉じた状態に保つためのラッチ４３と、ラッチ４３を収容するケース４４とを備える。
【００１８】
ノブ４１ａは、所定位置に付勢された状態で保持され、例えば、使用者によりこの付勢力に抗して所定位置から回動させると、ラッチ４３を矢印ＹＡ方向に移動させてケース４４内に収容し、これにより扉体４を開くことが可能になり、上記回動操作を停止し、ノブ４１ａから手を離すと、その付勢力により逆方向に回転して所定位置に戻り、ラッチ４３をケース４４から突出させるようになっている。
【００１９】
ラッチ４３は、門柱３のラッチ受３２を覆うストライク３３の開口部３３ａからラッチ受３２の凹部３２ａに挿入可能な形状に形成され、ケース４４における門柱３側の一面に設けられた図示しない開口から常時はケース４４外に突出し又はノブ４１ａを回動操作することによりこれと一体にケース４４内に没入するように矢印ＹＡ方向及びその逆方向に移動可能にケース４４に設けられている。また、ラッチ４３は、図１又は２中時計回り及び反時計回り方向に回動可能にケース４４に設けられた軸４３ａにより軸支されていると共に、図示しない付勢手段により図１又は２中時計回り方向に付勢されており、ラッチ４３の外側面が常時は上記ストライク３３の開口部３３ａの外側側面に当接し、これによって扉体４がみだりに外側に開かないように保持されている。
いる。
【００２０】
また、戸当り４５は、扉体４の他方の門柱３側の端面に取り付けれられ、そのＬ字状の戸当り本体の当接部が、扉体４を閉じた状態において、他方の門柱３の上記端面３ａの突出部３ａ−２外側面に当接するようになっており、これにより扉体４が閉じた状態で内側に動くことが防止されている。なお、戸当り４５は、その取付位置が、他方の門柱３の幅方向（扉体４の厚さ方向）に変更可能に取り付けられており、その構成は、後述する図５，６，７に示す構成とすることができる。
【００２１】
この門扉１は、ノブ４１ａを所定位置から回動し、ストライク３３の開口部３３ａからラッチ受３２の凹部３２ａに挿入したラッチ４３を凹部３２ａから後退させると共に、扉体４を図１又は２中反時計回り方向に回動させることにより、開いた状態となる。そして、この状態から、扉体４を図１又は２中時計回り方向に回動させることにより、ラッチ４３がラッチ受３２の凹部３２ａに嵌入すると共に戸当り４５が門柱３に当接して、扉体４が所定の閉じた位置に保たれるものである。
【００２２】
ここで、扉体４を閉じるために図１中時計回り方向に回動させる際には、ノブ４１ａが所定位置に保持されているため、ラッチ４３は、ケース４４から突出した状態で扉体４と共に図１中時計回り方向に回動し、図２に実線で示すように、他方の門柱３と対向する位置に至る。
【００２３】
この場合、門柱３は、扉体４側の端面３ａが内側の縁部近傍から外側の一端縁部にかけて壁ｋ側に後退し、扉体４の開閉に伴うラッチ４３の移動経路上から退避させて形成されているため、ラッチ４３は、門柱３と接触することなく、扉体４の回転に従って矢印ＹＢ方向に移動してラッチ受３２の近傍に至る。
【００２４】
そして、ラッチ４３は、門柱３の扉体４側の端面３ａにおけるラッチ受３２の近傍部分（突出部３ａ−２）と当接してケース４４内に除々に没入すると共に、ラッチ受３２の近傍の突出部３ａ−２からラッチ受３２を覆うストライク３３の開口部３３ａの外側縁部までの短い距離を移動する間だけ、門柱３の端面３ａと接触した状態で矢印ＹＢ方向に移動し、図２に二点鎖線で示すように、ストライク３３の開口部３３ａからラッチ受３２の凹部３２ａに挿入する。
【００２５】
このように、扉体４側の端面３ａを、内側の縁部近傍から外側の一端縁部にかけてを壁ｋ側に後退、没入させて扉体４の開閉に伴うラッチ４３の移動経路上から退避させて構成することにより、扉体４を閉じる際にラッチ４３と門柱３とが接触して音を生じさせる距離（時間）を、ラッチ受３２近傍の突出部３ａ−２からラッチ受３２を覆うストライク３３の開口部３３ａの外側縁部までの短い距離（短時間）に抑えることができ、扉体４を閉じる際の騒音を低減することができる。
【００２６】
なお、本発明の門扉１は、上記図１，２の実施例に限定されず、その要旨を逸脱しない限り種々変更して差し支えない。例えば、上記実施例の門柱は、断面略コの字形に形成されているが、扉体４側の端面３ａがラッチ受３２の凹部３２ａの近傍から外側の一端縁部にかけて扉体４の開閉に伴うラッチ４３の移動経路上から退避して構成されていれば、その形状は任意であり、本発明の要旨を逸脱しない限り適宜変更して差し支えない。また、壁ｋへの門柱２の取り付け方法も任意であり適宜変更して差し支えない。
【００２７】
上記実施例では、外開き形の門扉に適用した場合について説明したが、内開き形の門扉にも好適に用いることができる。また、上記実施例の門扉１は、扉体４のノブ部のケースにラッチが設けられたものであったが、扉体４から門柱３側に突設した部材を門柱３が備える凹部に挿入させるものであれば、このような構成に限定されず、例えば、ラッチ錠が扉体４の内部に設けられた構成としてもよい。但し、この場合、図３に示すように、ラッチ受３２を門柱３の内側の一側面でなく、扉体４側の端面３ａにおける、扉体４が閉じた際のラッチ４３の位置に対向する位置に設ける必要がある。さらに、上記実施例では、ラッチ受３２をストライク３３が覆う構成であったが、ストライクを備えない構成としてもよい。
【００２８】
図４〜７は、本発明の他の実施例にかかる門扉１の断面を示すものであり、図中上方が内側で下方が外側である。この門扉１は、例えば、マンションのポーチ部に取り付けられる内開き形のものであり、ポーチ部の壁ｋに取り付けられた一対の門柱２，３と、一方の門柱２に開閉可能に支持された扉体４とを具備し、扉体４が備えるラッチ４３を、他方の門柱３が備えるラッチ受３２の凹部３２ａに挿入させて扉体４を閉じた状態に保つようになっている。
【００２９】
他方門柱３は、断面略コの字状に形成され、その開口部を壁ｋ側に向けた状態で、別の断面略コの字形の取付部材ｔを介して壁ｋに取り付けられている。また、門柱３は、内側の一側面に形成されたラッチ受挿着溝３１にラッチ受３２が取り付けられている。ラッチ受３２は、ラッチ４３が挿入可能に形成された凹部３２ａを備えると共に、凹部３２ａの開口面は、該開口よりも小さな開口部３３ａを有するストライク３３で覆われている。
【００３０】
なお、門柱２は、門柱３とほぼ同様の構成を有するが、内側の一側面に扉体４を開閉可能に支持するための扉体支持部２１を備える。
【００３１】
扉体４は、他方の門柱３側の内外側部に設けられたノブ部４１と、一方の門柱２側の端面に取り付けられ、門柱２の扉体支持部２１とで扉体４を開閉可能に支持する支持部４２と、他方の門柱３の内側面と当接してラッチ４３と共に扉体４を所定の閉じた位置に保つための戸当り４５とを備える。
【００３２】
ノブ部４１は、扉体４の開閉及びラッチ４３をラッチ受３２の凹部３２ａから後退させる際に使用者が握るためのノブ４１ａと、扉体４を閉じ状態に保つためのラッチ４３と、ラッチ４３を収容するケース４４とを備える。
【００３３】
ノブ４１ａは、所定位置に付勢された状態で保持され、例えば、使用者により付勢力に抗して所定位置から回動させると、ラッチ４３を矢印ＹＡ方向に移動させてケース４４内に収容し、ノブ４１ａから手を離すと、付勢力により逆方向に回転して所定位置に戻り、ラッチ４３をケース４４から突出させるようになっている。
【００３４】
ラッチ４３は、門柱３のラッチ受３２を覆うストライク３３の開口部３３ａからラッチ受３２の凹部３２ａに挿入可能な形状に形成され、ケース４４における門柱３側の一面に設けられた図示しない開口から常時はケース４４外に突出し又はノブ４１ａを回動操作することによりこれと一体にケース４４内に没入するように矢印ＹＡ方向及びその逆方向に移動可能にケース４４に設けられている。また、ラッチ４３は、図４中時計回り及び反時計回り方向に回動可能にケース４４の軸４３ａにより軸支されていると共に、図示しない付勢手段により図４中反時計回り方向に付勢されており、ラッチの内側面が常時は上記ストライク３３の開口部３３ａの内側側面に当接している。
【００３５】
戸当り４５は、図５に示すように、他方の門柱３の内側の一側面に当接する戸当り本体４６と、扉体４の取付溝４ａ内に配置、固定される取付板４７と、戸当り本体４６とで取付板４７を挟んで配置される裏板４８とを備える。
【００３６】
戸当り本体４６は、平板をＬ字状に折り曲げた形状に形成され、図６（Ａ），（Ｂ）に示すように、Ｌ字形の一辺部における幅方向両縁部に形成されて門柱に当接する当接部４６ａと、Ｌ字形の他辺部における幅方向両縁部に形成され、図示しないネジが挿通される丸穴４６ｂと備える。
【００３７】
取付板４７は、図６（Ｃ）に示すように、略矩形状の平板から形成され、幅方向両縁部にその長さ方向に伸びる長穴４７ａが形成されており、扉体４の開閉方向（図４において上下方向）に沿って長穴４７ａが伸びた状態で扉体４の取付溝４ａに固定されるようになっている。長穴４７ａは、戸当り本体４６の丸穴４６ｂ及び後述する裏板４８の丸穴４８ａと共に図示しないネジが挿通されるためのものであり、ネジが挿通される位置に応じて扉体に対する戸当り本体４６の位置を扉体の開閉方向に変更可能にするためのものである。
【００３８】
裏板４８は、図６（Ｄ）に示すように、略矩形状の平板から形成され、幅方向両縁部にタップ穴４８ａが形成されており、戸当り本体４６と共に取付板４７を挟み込んだ状態でタップ穴４８ａに図示しないネジが締結されることにより、戸当り本体４６を取付板４７に固定するためのものである。
【００３９】
この門扉１は、ノブ４１ａを所定位置から回転させ、ストライク３３の開口部３３ａからラッチ受３２の凹部３２ａに挿入したラッチ４３を凹部３２ａから後退させると共に、扉体４を図４中時計回り方向に回動することにより、開いた状態となる。そして、この状態から扉体４を図４中反時計回り方向に回動してラッチ４３をストライク３３の開口部３３ａよりラッチ受３２の凹部３２ａに挿入すると共に、戸当り４５が門柱３の一側部に当接して閉じた状態の扉体４を所定位置に保つものでる。
【００４０】
ここで、門扉１の取り付けの際に、図７（Ａ）に示すように、扉体４と門柱３とが所定の位置関係からずれた状態で戸当り４５が門柱３に当接する場合がある。この場合、ラッチ４３の内側面とラッチ受３２を覆うストライク３３の開口部３３ａ内側縁部との間に多少の遊びが形成されることになるため、扉体４の外側の一面に対してわずかな荷重が加えられても扉体４が移動してラッチ４３とストライク３３の開口部３３ａ側面とが当接して音が生じてしまう。或いは、ラッチ４３がストライク３３の開口部３３ａから挿入されず乃至は挿入され難い場合がある。
【００４１】
しかし、門扉１は、扉体４に対する戸当り４５の取付位置を扉体４の開閉方向に変更可能に構成されているため、このような場合には、戸当り本体４６、取付板４７、及び裏板４８を締結しているネジを緩めた後、ラッチ４３の内側面とストライク３３の開口部３３ａ内側縁部との間に隙間が生じないような状態に戸当り本体４６、取付板４７、及び裏板４８を配置し、更に丸穴４６ｂ、長穴４７ａ、及びタップ穴４８ａにネジを挿通すると共に該ネジを締結する。
これにより、図７（Ｂ）に示すように、戸当り４５が門柱３の内側面に当接した状態でラッチ４３の内側面とストライク３３の開口部３３ａ内側側面との間に隙間が生じず、ラッチ４３とストライク３３の開口部３３ａ内側側面との衝突等に伴う騒音を防止でき、或いはラッチ４３をストライク３３の開口部３３ａにスムーズに挿入されるように位置合わせが可能になる。
【００４２】
このように、扉体４に対する戸当り４５の取付位置を扉体４の厚さ方向に沿って変更可能に形成することにより、ラッチ４３とストライク３３の開口部３３ａとの間の遊びや門扉１及びポーチ部の施工状態に応じて、戸当り４５の取付位置を容易に変更することができ、従って、ラッチ４３とストライク３３の開口部３３ａ側面との衝突等に伴う騒音を容易に防止できる。
【００４３】
なお、本発明の門扉は、上記図４〜７の実施例に限定されず、種々変更して差し支えない。例えば、上記実施例の門扉１は、戸当り本体４６を取付板４７に形成した長孔４７ａを介してネジ止めするという構成にし、ラッチ４３とストライク３３の開口部３３ａとの間の遊び等に応じて、長孔４７ａのネジ止めする位置を変更させるものである。しかし、扉体４に対する戸当り本体４６の位置を変更可能であれば、長孔に限定されず、例えば、複数の丸孔を配列した構成としてもよい。上記実施例では、内開き形の門扉に本発明を適用した場合について説明したが、外開き形の門扉にも好適に用いることができる。
【００４４】
【発明の効果】
以上説明したように、本発明によれば、門扉の開閉に伴い生じる音を低減できる。
【図面の簡単な説明】
【図１】第１の発明にかかるの門扉の一例を示す概略断面図である。
【図２】同門扉を構成するラッチと門柱との位置関係を示す概略図である。
【図３】第１の発明にかかるの門扉の他の例を示す概略断面図である。
【図４】第２の発明にかかるの門扉の一例を示す概略断面図である。
【図５】同門扉を構成する戸当りを示す側面図である。
【図６】（Ａ），（Ｂ）は、同戸当りを構成する戸当り本体を示す平面図、（Ｃ）は取付板を示す平面図（Ｄ）は裏板を示す平面図である。
【図７】（Ａ），（Ｂ）は、同門扉を構成するラッチ及び戸当りとラッチ受との位置関係を示す概略図である。
【図８】従来の門扉のラッチと門柱との位置関係を示す概略図である。
【図９】従来の門扉のラッチ及び戸当りとラッチ受との位置関係を示す概略図である。
【符号の説明】
１  門扉
２，３  門柱
３ａ  門柱の一面
３２  ラッチ受
３３  ストライク
４５  戸当り
４６  戸当り本体
４６ａ  丸孔
４７  取付板
４７ａ  長孔
４８  裏板
４８ａ  タップ穴
【図１】
0003609973.tif 000002
【図２】
0003609973.tif 000003
【図３】
0003609973.tif 000004
【図４】
0003609973.tif 000005
【図５】
0003609973.tif 000006
【図６】
0003609973.tif 000007
【図７】
0003609973.tif 000008
【図８】
0003609973.tif 000009
【図９】
0003609973.tif 000010